(57)【特許請求の範囲】
【請求項１】
フォーカスコイルとトラッキングコイルが、コイル厚み方向の中心位置を一致させてコイル台座に取り付けられているとともに、前記フォーカスコイルが、フォーカス方向に２極に着磁された１個のマグネットを含む磁気回路の磁気ギャップに配置されており、
フォーカスコイルとトラッキングコイルが、コイル台座に突設され、かつ、厚み方向の中心位置が一致しているフォーカスコイル巻枠とトラッキングコイル巻枠に巻回されており、
フォーカスコイル巻枠は、コイル台座の中心に配置され、４個のトラッキングコイル巻枠は、前記フォーカスコイル巻枠の中空部に上下左右対称に配置されている光ピックアップの対物レンズ駆動装置。
【請求項２】
フォーカスコイルとトラッキングコイルが、コイル厚み方向の中心位置を一致させてコイル台座に取り付けられているとともに、前記フォーカスコイルが、フォーカス方向に２極に着磁された１個のマグネットを含む磁気回路の磁気ギャップに配置されており、
フォーカスコイルとトラッキングコイルが、コイル台座に突設され、かつ、厚み方向の中心位置が一致しているフォーカスコイル巻枠とトラッキングコイル巻枠に巻回されており、
コイル台座がプリント基板で形成されており、
フォーカスコイル巻枠は、コイル台座の中心に配置され、４個のトラッキングコイル巻枠は、前記フォーカスコイル巻枠の中空部に上下左右対称に配置されている光ピックアップの対物レンズ駆動装置。
【請求項３】
フォーカスコイルとトラッキングコイルが、コイル厚み方向の中心位置を一致させてコイル台座に取り付けられているとともに、前記フォーカスコイルが、フォーカス方向に２極に着磁された１個のマグネットを含む磁気回路の磁気ギャップに配置されており、
フォーカスコイルとトラッキングコイルが、コイル台座に突設され、かつ、厚み方向の中心位置が一致しているフォーカスコイル巻枠とトラッキングコイル巻枠に巻回されており、
コイル台座が耐熱性の樹脂板で形成され、かつ、そのトラッキング方向両端の上下にフォーカスコイルとトラッキングコイルのリード線の終端を巻回する端子が突設されており、
フォーカスコイル巻枠は、コイル台座の中心に配置され、４個のトラッキングコイル巻枠は、前記フォーカスコイル巻枠の中空部に上下左右対称に配置されている光ピックアップの対物レンズ駆動装置。
【請求項４】
フォーカスコイルとトラッキングコイルが、コイル厚み方向の中心位置を一致させてコイル台座に取り付けられているとともに、前記フォーカスコイルが、フォーカス方向に２極に着磁された１個のマグネットを含む磁気回路の磁気ギャップに配置されており、
フォーカスコイルとトラッキングコイルが、コイル台座に突設され、かつ、厚み方向の中心位置が一致しているフォーカスコイル巻枠とトラッキングコイル巻枠に巻回されており、
フォーカスコイル巻枠は、コイル台座の中心に配置され、２個のトラッキングコイル巻枠は、前記フォーカスコイル巻枠の中空部に左右対称に配置されている光ピックアップの対物レンズ駆動装置。
【請求項５】
フォーカスコイルとトラッキングコイルが、コイル厚み方向の中心位置を一致させてコイル台座に取り付けられているとともに、前記フォーカスコイルが、フォーカス方向に２極に着磁された１個のマグネットを含む磁気回路の磁気ギャップに配置されており、
フォーカスコイルとトラッキングコイルが、コイル台座に突設され、かつ、厚み方向の中心位置が一致しているフォーカスコイル巻枠とトラッキングコイル巻枠に巻回されており、
コイル台座がプリント基板で形成されており、
フォーカスコイル巻枠は、コイル台座の中心に配置され、２個のトラッキングコイル巻枠は、前記フォーカスコイル巻枠の中空部に左右対称に配置されている光ピックアップの対物レンズ駆動装置。
【請求項６】
フォーカスコイルとトラッキングコイルが、コイル厚み方向の中心位置を一致させてコイル台座に取り付けられているとともに、前記フォーカスコイルが、フォーカス方向に２極に着磁された１個のマグネットを含む磁気回路の磁気ギャップに配置されており、
フォーカスコイルとトラッキングコイルが、コイル台座に突設され、かつ、厚み方向の中心位置が一致しているフォーカスコイル巻枠とトラッキングコイル巻枠に巻回されており、
コイル台座が耐熱性の樹脂板で形成され、かつ、そのトラッキング方向両端の上下にフォーカスコイルとトラッキングコイルのリード線の終端を巻回する端子が突設されており、
フォーカスコイル巻枠は、コイル台座の中心に配置され、２個のトラッキングコイル巻枠は、前記フォーカスコイル巻枠の中空部に左右対称に配置されている光ピックアップの対物レンズ駆動装置。
【発明の詳細な説明】
【０００１】
【発明が属する技術分野】
この発明は、デイスク上の記録媒体に光スポットを投射して光学的に情報を読み取ることができる光ディスク装置を構成する光ピックアップの対物レンズ駆動装置に関するものである。
【０００２】
【従来の技術】
光ディスク装置を構成する光ピックアップは、一般に、対物レンズを備えた対物レンズ駆動装置と、対物レンズに光の送受を行う光学系とから構成され、光学系ブロックの取付台上に対物レンズ駆動装置を配置した構造となっている。対物レンズ駆動装置は、対物レンズ、フォーカスコイル、トラッキングコイルを備えた可動部と磁気回路を備えた固定部とから構成され、可動部は、一部分が粘弾性材などの弾性のあるダンパ材で包囲・保持されている４本のワイヤーで固定部より支持されている。
【０００３】
このような対物レンズ駆動装置では、磁気回路を単一にし、フォーカスコイルにトラッキングコイルを重ねて接着する形でひとつの磁気ギャップ中に配置して、小型化と薄型化を図っていた。ところが、従来の対物レンズ駆動装置では、フォーカスコイルによるフォーカス方向の駆動力の中心点とトラッキングコイルによるトラッキング方向の駆動力の中心点がずれるため、可動部の重心を一方の駆動力の中心点に一致させると他方がずれ、そのずれ量に応じてモーメントが発生し、不要な共振が起きるという課題を有していた。
【０００４】
これらの課題を解決するための手段として、トラッキングコイルを挟むようにフォーカスコイルを配置したり、フォーカスコイルを挟むようトラッキングコイルを配置して、それぞれの駆動力の中心点を一致させていたものが知られている（例えば、特開平６−１２４４６７）。
【０００５】
すなわち、図９に示すように、フォーカスコイル１０は、ボビン１２の上、下両端部分に接着で固着されており、トラッキングコイル１１は、ボビン１２の中央部分に、フォーカスコイル１０に挾まれる位置で接着により固着されており、図１０に示すように、フォーカスコイル１０は、ボビン１２の中央部分に接着で固着されており、トラッキングコイル１１は、フォーカスコイル１０を上、下に挟み込む位置で接着により固着されており、それぞれ永久磁石８を接着で固定しているヨーク９の磁界中にあるものである。両コイル１０、１１に電流を流し、フォーカス方向（矢印Ａ）及びトラッキング方向（矢印Ｂ）に発生する駆動力の中心点と、可動部の重心点とが一致させるものである。
【０００６】
【発明が解決しようとする課題】
しかしながら、この従来技術においては、フォーカスコイル１０の磁気ギャップ中に配置した辺と対向する辺は、磁気ギャップ外に配置されるため、磁気回路の漏れ磁束の影響を受けて反対方向の駆動力及びモーメントを発生し、可動部の重心と実際の駆動力の中心と一致させ難くなるという課題があった。
【０００７】
この発明は、このような従来技術の課題を解決する目的でなされたものである。
【０００８】
【課題を解決するための手段】
上記課題を解決するための手段を、以下、説明する。
第１の光ピックアップの対物レンズ駆動装置（請求項１に対応）は、フォーカスコイルとトラッキングコイルが、コイル厚み方向の中心位置を一致させてコイル台座に取り付けられているとともに、前記フォーカスコイルが、フォーカス方向に２極に着磁された１個のマグネットを含む磁気回路の磁気ギャップに配置されており、フォーカスコイルとトラッキングコイルが、コイル台座に突設され、かつ、厚み方向の中心位置が一致しているフォーカスコイル巻枠とトラッキングコイル巻枠に巻回されており、フォーカスコイル巻枠は、コイル台座の中心に配置され、４個のトラッキングコイル巻枠は、前記フォーカスコイル巻枠の中空部に上下左右対称に配置されている。
第２の光ピックアップの対物レンズ駆動装置（請求項２に対応）フォーカスコイルとトラッキングコイルが、コイル厚み方向の中心位置を一致させてコイル台座に取り付けられているとともに、前記フォーカスコイルが、フォーカス方向に２極に着磁された１個のマグネットを含む磁気回路の磁気ギャップに配置されており、フォーカスコイルとトラッキングコイルが、コイル台座に突設され、かつ、厚み方向の中心位置が一致しているフォーカスコイル巻枠とトラッキングコイル巻枠に巻回されており、コイル台座がプリント基板で形成されており、フォーカスコイル巻枠は、コイル台座の中心に配置され、４個のトラッキングコイル巻枠は、前記フォーカスコイル巻枠の中空部に上下左右対称に配置されている。
第３の光ピックアップの対物レンズ駆動装置（請求項３に対応）は、フォーカスコイルとトラッキングコイルが、コイル厚み方向の中心位置を一致させてコイル台座に取り付けられているとともに、前記フォーカスコイルが、フォーカス方向に２極に着磁された１個のマグネットを含む磁気回路の磁気ギャップに配置されており、フォーカスコイルとトラッキングコイルが、コイル台座に突設され、かつ、厚み方向の中心位置が一致しているフォーカスコイル巻枠とトラッキングコイル巻枠に巻回されており、コイル台座が耐熱性の樹脂板で形成され、かつ、そのトラッキング方向両端の上下にフォーカスコイルとトラッキングコイルのリード線の終端を巻回する端子が突設されており、フォーカスコイル巻枠は、コイル台座の中心に配置され、４個のトラッキングコイル巻枠は、前記フォーカスコイル巻枠の中空部に上下左右対称に配置されている。
第４の光ピックアップの対物レンズ駆動装置（請求項４に対応）は、フォーカスコイルとトラッキングコイルが、コイル厚み方向の中心位置を一致させてコイル台座に取り付けられているとともに、前記フォーカスコイルが、フォーカス方向に２極に着磁された１個のマグネットを含む磁気回路の磁気ギャップに配置されており、フォーカスコイルとトラッキングコイルが、コイル台座に突設され、かつ、厚み方向の中心位置が一致しているフォーカスコイル巻枠とトラッキングコイル巻枠に巻回されており、フォーカスコイル巻枠は、コイル台座の中心に配置され、２個のトラッキングコイル巻枠は、前記フォーカスコイル巻枠の中空部に左右対称に配置されている。
第５の光ピックアップの対物レンズ駆動装置（請求項５に対応）は、フォーカスコイルとトラッキングコイルが、コイル厚み方向の中心位置を一致させてコイル台座に取り付けられているとともに、前記フォーカスコイルが、フォーカス方向に２極に着磁された１個のマグネットを含む磁気回路の磁気ギャップに配置されており、フォーカスコイルとトラッキングコイルが、コイル台座に突設され、かつ、厚み方向の中心位置が一致しているフォーカスコイル巻枠とトラッキングコイル巻枠に巻回されており、コイル台座がプリント基板で形成されており、フォーカスコイル巻枠は、コイル台座の中心に配置され、２個のトラッキングコイル巻枠は、前記フォーカスコイル巻枠の中空部に左右対称に配置されている。
第６の光ピックアップの対物レンズ駆動装置（請求項６に対応）は、フォーカスコイルとトラッキングコイルが、コイル厚み方向の中心位置を一致させてコイル台座に取り付けられているとともに、前記フォーカスコイルが、フォーカス方向に２極に着磁された１個のマグネットを含む磁気回路の磁気ギャップに配置されており、フォーカスコイルとトラッキングコイルが、コイル台座に突設され、かつ、厚み方向の中心位置が一致しているフォーカスコイル巻枠とトラッキングコイル巻枠に巻回されており、コイル台座が耐熱性の樹脂板で形成され、かつ、そのトラッキング方向両端の上下にフォーカスコイルとトラッキングコイルのリード線の終端を巻回する端子が突設されており、フォーカスコイル巻枠は、コイル台座の中心に配置され、２個のトラッキングコイル巻枠は、前記フォーカスコイル巻枠の中空部に左右対称に配置されている。
【０００９】
このように構成されたものにおいては、フォーカス方向に発生する駆動力の中心点とトラッキング方向に発生する駆動力の中心点とは一致し、可動部の重心点とも一致している。フォーカスコイルは、同一方向の駆動力のみを発生する。
【００１０】
【発明の実施の形態】
図１は、この発明の実施の一形態を示す斜視図である。図１において、１はレンズホルダ、２は対物レンズ、３はコイルユニット、３１はコイル台座、３２ｆはフォーカスコイル巻枠、３２ｔはトラッキングコイル巻枠、３３ｆはフォーカスコイル、３３ｔはトラッキングコイル、５はマグネット、５ｇは磁気ギャップである。
【００１１】
レンズホルダ１は、曲げ弾性率の高い軽金属、例えばマグネシウム合金、又はカーボン繊維人りの樹脂から形成されている。かかる材料の使用によって、レンズホルダ１自体は、曲げ弾性率が高くなって、高次共振周波数が高くなる。これにより、光ディスク装置の高速化に対応できる。
【００１２】
レンズホルダ１には、トラッキング方向Ｔに切欠き部１ａが２個、形成されている。また、対物レンズ２を保持する対物レンズ取付部１ｂは、厚さが均一に形成されている。
【００１３】
切欠き部１ａは、その表面に補強用の絶縁保護膜（図示せず）が形成されている。これは、レンズホルダ１に使用される曲げ弾性率の高い軽金属、例えばマグネシウム合金、又はカーボン繊維人りの樹脂は、導電率が高いので、切欠き部１ａに装着されるコイルユニット３の絶縁性を確保するためである。
【００１４】
コイルユニット３は、コイル台座３１と、コイル台座３１に突設された１個のフォーカスコイル巻枠３２ｆ及び４個のトラッキングコイル巻枠３２ｔと、フォーカスコイル巻枠３２ｆ及びトラッキングコイル巻枠３２ｔに巻回された１個のフォーカスコイル３３ｆ及び４個のトラッキングコイル３３ｔとから形成されている。コイル台座３１としてプリント基板３ｐが使用されている。フォーカスコイル巻枠３２ｆは、コイル台座３１の中心に配置され、４個のトラッキングコイル巻枠３２ｔは、フォーカスコイル巻枠３２ｆを中心として、その外側に上下左右対称に配置されている。フォーカスコイル巻枠３２ｆとトラッキングコイル巻枠３２ｔの厚みは、厚み方向の中心位置を一致させて、形成されている。これにより、フォーカスコイル３３ｆとトラッキングコイル３３ｔでコイル厚み方向の中心位置は一致し、フォーカス方向Ｆに発生する駆動力の中心点と、トラッキング方向Ｔに発生する駆動力の中心点とは一致している。また、これらの駆動力の中心点は、フォーカスコイル巻枠３２ｆ及びトラッキングコイル巻枠３２ｔが既述のように可動部を構成するコイル台座３１に配置されているので、可動部の重心点と一致している。
【００１５】
フォーカスコイル３３ｆとトラッキングコイル３３ｔの厚みが同一である場合は、フォーカスコイル巻枠３２ｆ及びトラッキングコイル巻枠３２ｔの厚みは、同一でよいが、フォーカスコイル３３ｆとトラッキングコイル３３ｔの厚みが同一でない場合は、コイル厚み方向の中心位置をフォーカスコイル３３ｆとトラッキングコイル３３ｔで一致させるため、コイル台座３１に段差部を設けて調整する。
【００１６】
フォーカスコイル３３ｆとトラッキングコイル３３ｔの終端は、コイル台座３１を構成しているプリント基板３ｐに接続されている（図示せず）。
【００１７】
コイルユニット３は、コイル台座３１が切欠き部１ａに挿入、接着されてレンズホルダ１に固定されている。コイル台座３１のトラッキング方向Ｔ両端には４個のＶ溝３ｖが形成され、Ｖ溝３ｖに４本の導電性弾性体４の一端が半田３ｈにより固定されている。レンズホルダ１の切欠き部１ａの表面に補強用の絶縁保護膜が形成されていないときは、切欠き部１ａに装着されるコイル台座３１の部分に補強用の絶縁保護膜（図示せず）を形成して、コイル台座３１の絶縁性を確保する。
【００１８】
以上は、コイル台座３１としてプリント基板３ｐを使用した場合であるが、図２に示すように、コイル台座３１を耐熱性の樹脂板で形成し、そのトラッキング方向Ｔ両端の上下にフォーカスコイル３３ｆとトラッキングコイル３３ｔのリード線の終端３４ｆ、３４ｔを巻回する端子３５ｆ、３５ｔを突設してもよい。フォーカスコイル３３ｆ及びトラッキングコイル３３ｔは、フォーカスコイル巻枠３２ｆ及びトラッキングコイル巻枠３２ｔに沿って巻かれるため、巻線専用の治具を必要としない。そのため、一度に複数個のフォーカスコイル巻枠３２ｆ及びトラッキングコイル巻枠３２ｔへの巻線が可能でトータル的に巻線時間を短縮でき、安価にコイルユニット３を形成できる。
【００１９】
図２においても、コイルユニット３は、コイル台座３１が切欠き部１ａに挿入、接着されてレンズホルダ１に固定されている。コイル台座３１のトラッキング方向両端にはＶ溝３ｖが形成され、Ｖ溝３ｖにおいて、導電性弾性体４の一端は、リード線の終端３４ｆ、３４ｔに、直接、半田３ｈにより固定されている。
【００２０】
なお、図２においては、レンズホルダ１、コイル台座３１が別個に形成され、複数個のフォーカスコイル巻枠３２ｆ及びトラッキングコイル巻枠３２ｔにフォーカスコイル３３ｆとトラッキングコイル３３ｔを装着してコイルユニット３を形成し、その後、コイル台座３１を切欠き部１ａに挿入、接着してレンズホルダ１に固定しているが、図３に示すように、レンズホルダ１の対物レンズ２の非取付部分１ｃとコイル台座３１とを一体に形成し、フォーカスコイル３３ｆとトラッキングコイル３３ｔ（図示せず）を装着した後、レンズホルダ１の対物レンズ２の取付部分１ｄをコイル台座３１に接着、固定してもよい。なお、図示しないが、コイル台座３１をレンズホルダ１の対物レンズ２の取付部分１ｄと一体に形成し、フォーカスコイル３３ｆとトラッキングコイル３３ｔを装着した後、レンズホルダ１の対物レンズ２の非取付部分１ｃをコイル台座３１に接着、固定してもよい。この場合、フォーカスコイル３３ｆとトラッキングコイル３３ｔを装着するために、フォーカスコイル巻枠３２ｆ及びトラッキングコイル巻枠３２ｔは、図３と異なり、取付部分１ｄ側ではなく、非取付部分１ｃ側に向けられている。
【００２１】
なお、図２、３においては、フォーカズコイル３３ｆとトラッキングコイル３３ｔの厚みが同一でないため、コイル厚み方向の中心位置をフォーカスコイル３３ｆとトラッキングコイル３３ｔで一致させるべく、コイル台座３１に段差部３１ｄを設けた場合を示している。
【００２２】
以上は、いずれも、トラッキングコイル巻枠３２ｔが４個の場合であるが、２個のトラッキングコイル巻枠３２ｔを、フォーカスコイル巻枠３２ｆを中心として、その外側に左右対称に配置しても、同様の効果が得られる。
【００２３】
マグネット５は、図４に示すように、フォーカス方向ＦにＮ極とＳ極の境界線５ｂにより２極に着磁されていて、ヨークベース６上のヨーク７に接着されている。２個のマグネット５の対向によって磁気ギャップ５ｇが形成されて、磁気ギャップ５ｇのフォーカス方向Ｆにおいて、磁力線Ｂの方向が逆になっている。なお、マグネット５を１個で構成してもよい。
【００２４】
マグネット５の幅Ｗは、導電性弾性体４によって移動可能に片持ち式に支持されている可動部の静止位置、すなわち、フォーカス方向Ｆの自重位置において、図５に示すように、コイルユニット３を磁気ギャップ５ｇに配置したとき、トラッキングコイル３３ｔのフォーカス方向Ｆと平行な垂直辺のうち、左右内側の垂直辺Ａ、Ｃが磁気ギャップ５ｇ内（対向するマグネット５の幅Ｗ以内の空隙を指す）に配置されるように、定められている。また、マグネット５の高さＨは、図５に示すように、フォーカスコイル３３ｆのフォーカス方向Ｆと平行な垂直辺ａ、ｃ及びトラッキングコイル３３ｔのフォーカス方向Ｆと垂直な水平辺のうち、上下外側の水平辺Ｂ、Ｄが磁気ギャップ５ｇ内（対向するマグネット５の高さＨ以内の空隙を指す）に配置されるように、定められている。マグネット５のＮ極とＳ極の境界線５ｂは、トラッキングコイル３３ｔのフォーカス方向Ｆと垂直な水平辺Ｂ、Ｄの下辺Ｂと上辺Ｄの中間に位置している。マグネット５の中心は、コイルユニット３の中心と略一致している。
【００２５】
図５において、トラッキングコイル３３ｔのフォーカス方向Ｆと平行な垂直辺Ａ、Ｃに流れる電流によってトラッキング方向Ｔに同一方向の駆動力が生じる。
【００２６】
また、図５において、フォーカスコイル３３ｆの全ての辺は、磁気ギャップ３ｇ内に配置され、かつ、磁気ギャップ５ｇのフォーカス方向Ｆにおいて、磁力線の方向が逆になっているので、フォーカスコイル３３ｆのフォーカス方向Ｆと垂直な水平辺ｂ、ｄには、ともにフォーカス方向Ｆに同一方向の駆動力のみが発生する。したがって、フォーカスコイル３３ｆの一辺が磁気回路の漏れ磁束の影響を受けて、反対方向の駆動力およびモーメントを発生することはなく、可動部の重心と実際の駆動力の中心は一致している。
【００２７】
コイルユニット３は、磁気ギャップ５ｇに配置され、導電性弾性体４の他端はワイヤーべース８を通ってベース基板９に半田により固定されている。これにより、レンズホルダ１を、マグネット５、ヨークベース６、ヨーク７、ワイヤーべース８、ベース基板９により構成されている固定部に対して、移動可能に片持ち式に支持している。
【００２８】
このような構成で、フォーカスコイル３３ｆ、トラッキングコイル３３ｔに通電すれば、フォーカス方向Ｆ、トラッキング方向Ｔに駆動力が発生し、記録媒体の面振れ、偏心に対応して、対物レンズ２をフォーカス方向Ｆ、トラッキング方向Ｔに移動することができる。
【００２９】
以上は、フォーカスコイル巻枠３２ｆ及びトラッキングコイル巻枠３２ｔとして、正方形又は矩形状の平板を用い、フォーカスコイル巻枠３２ｆを中心として、その外側に２個又は４個のトラッキングコイル巻枠３２ｔを配置したものであるが、フォーカスコイル巻枠３２ｆとして、四角筒状の平板を用い、その中空部に２個（図６、図７参照）又は４個（図８参照）のトラッキングコイル巻枠３２ｔを配置しても、同様の効果が得られる。
【００３０】
図６においては、マグネット５のＮ極とＳ極の境界線５ｂは、トラッキングコイル３３ｔのフォーカス方向Ｆと垂直な水平辺Ｂ、Ｄの上辺Ｄより少し上方に位置している。フォーカスコイル３３ｆのうち、フォーカス方向Ｆと垂直な水平辺ｂ、ｄの中央部のみが磁気ギャップ５ｇ内に配置され、２個のトラッキングコイル３３ｔのうち、一方の右半分及び他方の左半分のみが磁気ギャップ５ｇ内に配置されている。
【００３１】
図７においては、図６と異なり、マグネット５のＮ極とＳ極の境界線５ｂは、トラッキングコイル３ｔのフォーカス方向Ｆと垂直な水平辺Ｂ、Ｄの下辺Ｂより少し下方に位置している。
【００３２】
図８においては、図６、７と異なり、コイルユニット３を、１個のフォーカスコイル３ｆの中空部に４個のトラッキングコイル３ｔをトラッキング方向Ｔに配列し、かつ、フォーカス方向Ｆに配置して構成し、マグネット５のＮ極とＳ極の境界線５ｂは、トラッキングコイル３ｔのフォーカス方向Ｆと垂直な水平辺Ｂ、Ｄの下辺Ｂと上辺Ｄの中間に位置している。
【００３３】
以上は、フォーカスコイル巻枠３２ｆ及びトラッキングコイル巻枠３２ｔは、正方形若しくは矩形状又は四角筒状の平板を用いたものであるが、平板ではなく、四隅に棒状体を配置して構成してもよい。
【００３４】
【発明の効果】
以上説明してきたように、この発明は、フォーカスコイルとトラッキングコイルが、コイル厚み方向の中心位置を一致させてコイル台座に取り付けられているとともに、前記フォーカスコイルが、フォーカス方向に２極に着磁された１個のマグネットを含む磁気回路の磁気ギャップに配置されているものである。それゆえ、フォーカス方向に発生する駆動力の中心点とトラッキング方向に発生する駆動力の中心点とは一致し、可動部の重心点とも一致している。また、フォーカスコイルは、同一方向の駆動力のみを発生する。したがって、この発明によれば、可動部の重心と実際の駆動力の中心が一致しているという効果が得られる。
【図面の簡単な説明】
【図１】この発明の実施の一形態を示す分解斜視図である。
【図２】この発明の実施の他の形態を示す分解斜視図である。
【図３】コイル台座とレンズホルダの固定方法を示す分解斜視図である。
【図４】磁気回路を示す側面図である。
【図５】この発明の実施の一形態におけるフォーカス方向の自重位置においてのマグネットとフォーカスコイル・トラッキングコイルの位置関係を示す配置図である。
【図６】この発明の実施の他の形態におけるフォーカス方向の自重位置においてのマグネットとフォーカスコイル・トラッキングコイルの位置関係を示す配置図である。
【図７】この発明の実施の他の形態におけるフォーカス方向の自重位置においてのマグネットとフォーカスコイル・トラッキングコイルの位置関係を示す配置図である。
【図８】この発明の実施の他の形態におけるフォーカス方向の自重位置においてのマグネットとフォーカスコイル・トラッキングコイルの位置関係を示す配置図である。
【図９】従来技術の斜視図である。
【図１０】従来技術の斜視図である。
【符号の説明】
１      レンズホルダ
２      対物レンズ
３      コイルユニット
３１    コイル台座
３２ｆ  フォーカスコイル巻枠
３２ｔ  トラッキングコイル巻枠
３３ｆ  フォーカスコイル
３３ｔ  トラッキングコイル
５      マグネット
５ｇ    磁気ギャップ
【図１】
0004056676.tif 000002
【図２】
0004056676.tif 000003
【図３】
0004056676.tif 000004
【図４】
0004056676.tif 000005
【図５】
0004056676.tif 000006
【図６】
0004056676.tif 000007
【図７】
0004056676.tif 000008
【図８】
0004056676.tif 000009
【図９】
0004056676.tif 000010
【図１０】
0004056676.tif 000011